(57)【要約】【課題】水の中へ落ちても水中深くに沈むことなく、且つ、水面に浮かんでいる間、報知し続けることができる携帯端末装置を提供する。【解決手段】筐体３ａを有する第１装置３と、筐体３ａに結合し、浮力で水面に浮かぶ筐体２ａを有するフロート装置２とを具備する。フロート装置２は、水面に浮かんだときに水面よりも上に位置し、光エネルギーを電力に変換するソーラーパネル部１１と、ソーラーパネル部１１から受け取る電力を充電し、報知部２０へ電力を供給する蓄電部１２と、蓄電部１２から受け取る電力で駆動し、水に浸かっていることを報知する報知部２０とを備える。【選択図】図１
2011205196.tif 000002
【特許請求の範囲】
【請求項１】
第１筐体を有する第１装置と、
前記第１筐体に結合し、浮力で水面に浮かぶ第２筐体を有するフロート装置と
を具備し、
前記フロート装置は、
水面に浮かんだときに水面よりも上に位置し、光エネルギーを電力に変換するソーラーパネル部と、
前記ソーラーパネル部から受け取る電力を充電し、前記報知部へ電力を供給する蓄電部と、
前記蓄電部から受け取る電力で駆動し、水に浸かっていることを報知する報知部と
を備える
携帯端末装置。
【請求項２】
請求項１に記載の携帯端末装置であって、
前記報知部は、
水に浸かっていることを検知して、第１検出信号を出力する水位センサ部と、
前記第１検出信号を受信して、制御信号を出力するアラーム制御部と、
前記制御信号を受信して、報知信号を出力する出力部と
を備える
携帯端末装置。
【請求項３】
請求項２に記載の携帯端末装置であって、
前記報知部は、
周囲の明るさを検知し、前記周囲の明るさが所定の明るさよりも暗い場合、第２検出信号を出力する光センサ部
を更に備え、
前記出力部は、
音を出力するスピーカ部と、
光を出力する発光部と
を含み、
前記アラーム制御部は、前記第１検出信号の受信に基づいて、前記スピーカ部に音を出力させ、前記第１検出信号と前記第２検出信号との受信に基づいて、前記発光部に光を出力させる
携帯端末装置。
【請求項４】
請求項３に記載の携帯端末装置であって、
前記第２筐体は、
前記発光部の光を受ける凹レンズ部
を含み、
前記発光部が出力する光は、前記凹レンズ部によって拡散されて出力される
携帯端末装置。
【請求項５】
第１筐体を有する第１装置と、前記第１筐体に結合し、浮力で水面に浮かぶ第２筐体を有するフロート装置とを具備する携帯端末装置の報知方法であって、
光エネルギーを電力に変換するステップと、
前記電力を充電するステップと、
充電された前記電力で駆動し、水に浸かっていることを報知するステップと
を具備し、
前記報知するステップは、
水に浸かっていることを検知して、第１検出信号を出力するステップと、
前記第１検出信号を受信して、制御信号を出力するステップと、
前記制御信号を受信して、報知信号を出力するステップと
を含む
報知方法。
【請求項６】
請求項５に記載の報知方法であって、
前記報知するステップは、
周囲の明るさを検知して、前記周囲の明るさが所定の明るさよりも暗いか否かを判定するステップと、
前記周囲の明るさが前記所定の明るさよりも暗い場合、第２検出信号を出力するステップと
を含み、
前記制御信号を出力するステップは、
前記第１検出信号の受信に基づいて、音を出力させる制御信号を出力するステップと、
前記第１検出信号と前記第２検出信号との受信に基づいて、光を出力させる制御信号を出力するステップと
を含み、
前記報知信号を出力するステップは、
前記音を出力させる制御信号を受信して、音を出力するステップと、
前記光を出力させる制御信号を受信して、光を出力するステップ
を含む
報知方法。
【発明の詳細な説明】
【技術分野】
【０００１】
本発明は携帯端末装置に関し、特に水没時に報知する携帯端末装置及びその報知方法に関する。
【背景技術】
【０００２】
防水機能を備える携帯電話機や、ＰＨＳ（Ｐｅｒｓｏｎａｌ  Ｈａｎｄｙｐｈｏｎｅ  Ｓｙｓｔｅｍ）等の携帯端末装置は、水に浸かっても壊れることはない。しかし、防水機能を備える携帯端末装置が水中深くに沈んでしまった場合、ユーザがその携帯端末装置を発見したり回収したりすることは難しい。そこで、水面に浮かぶ携帯端末装置が提案されている。
【０００３】
特許文献１には、水没時に十分な浮力が得られる携帯端末装置が開示されている。この携帯端末装置は、燃料電池と、燃料電池から発生する気体を収集して浮力を発生させる気体収集部と、気体を外部に排出する気体排出経路と、気体を気体収集部に供給するための気体供給経路と、気体排出経路と気体供給経路とを切り替える経路切り替え部とを有する。経路切り替え部は、非水没時には気体排出経路を介して気体を外部に排出し、水没時には気体供給経路を介して気体を気体収集部に供給する。このような携帯端末装置は、水没しても水面まで浮上することができるというものである。
【０００４】
その他、水中で警報を発する装置に関する技術が特許文献２及び３に開示されている。
【先行技術文献】
【特許文献】
【０００５】
【特許文献１】特開２００８−１９３６３２号公報
【特許文献２】特開平９−３０５８７７号公報
【特許文献３】特開２００４−１４５５７４号公報
【発明の概要】
【発明が解決しようとする課題】
【０００６】
携帯端末装置は、浮上機能を備えることで水没を回避することができる。しかし、水面に浮かんだ携帯端末装置は、水の流れ等によって様々な場所へ移動しやすい。様々な場所へ移動してしまうと、ユーザが携帯端末装置を発見するまでに時間が掛かり、その結果、電池が切れしてしまうおそれがある。特に、通信機能を利用して発見される携帯端末装置の場合、圏外へ移動していたり、電池が切れていたりすると、ユーザは発見することができなくなる。
【０００７】
本発明の目的は、水の中へ落ちても水中深くに沈むことなく、且つ、水面に浮かんでいる間、報知し続けることができる携帯端末装置を提供することにある。
【課題を解決するための手段】
【０００８】
本発明の携帯端末装置は、第１筐体を有する第１装置と、第１筐体に結合し、浮力で水面に浮かぶ第２筐体を有するフロート装置とを具備する。フロート装置は、水面に浮かんだときに水面よりも上に位置し、光エネルギーを電力に変換するソーラーパネル部と、ソーラーパネル部から受け取る電力を充電し、報知部へ電力を供給する蓄電部と、蓄電部から受け取る電力で駆動し、水に浸かっていることを報知する報知部とを備える。
【０００９】
本発明の報知方法は、第１筐体を有する第１装置と、第１筐体に結合し、浮力で水面に浮かぶ第２筐体を有するフロート装置とを具備する携帯端末装置の報知方法であって、光エネルギーを電力に変換するステップと、電力を充電するステップと、充電された電力で駆動し、水に浸かっていることを報知するステップとを具備する。報知するステップは、水に浸かっていることを検知して第１検出信号を出力するステップと、第１検出信号を受信して制御信号を出力するステップと、制御信号を受信して報知信号を出力するステップとを含む。
【発明の効果】
【００１０】
本発明の携帯端末装置は、水の中へ落ちても水中深くに沈むことなく、且つ、水面に浮かんでいる間、報知し続けることができる。
【図面の簡単な説明】
【００１１】
【図１】図１は、本発明の第１の実施の形態による携帯端末装置１の模式図である。
【図２】図２は、本発明の携帯端末装置１が水に落下してから浮上するまでの過程を示す図である。
【図３】図３は、本発明の第１の実施の形態による携帯端末装置１のブロック図である。
【図４】図４は、図１に示した携帯端末装置１のＡ−Ａ断面の模式図である。
【図５】図５は、発光部２４の周辺を示す拡大図である。
【図６】図６は、携帯端末装置１の報知部２０及び通信機能部４０の実施の形態における、ハードウエア構成例を示すブロック図である。
【図７】図７は、本発明の第１の実施の形態による携帯端末装置１におけるフロート装置２の処理動作を示したフローチャートである。
【図８】図８は、本発明の第２の実施の形態による携帯端末装置１の模式図である。
【図９】図９は、本発明の第２の実施の形態による携帯端末装置１におけるフロート装置２の処理動作を示したフローチャートである。
【発明を実施するための形態】
【００１２】
以下、添付図面を参照して本発明の実施の形態による携帯端末装置を説明する。本発明の携帯端末装置は、防水機能を備えた携帯端末装置であり、携帯電話機や、ＰＨＳ（Ｐｅｒｓｏｎａｌ  Ｈａｎｄｙｐｈｏｎｅ  Ｓｙｓｔｅｍ）や、ＰＤＡ（Ｐｅｒｓｏｎａｌ  Ｄｉｇｉｔａｌ  Ａｓｓｉｓｔａｎｔ）等が例示される。
【００１３】
（第１の実施の形態）
本発明の第１の実施の形態を説明する。図１は、本発明の第１の実施の形態による携帯端末装置１の模式図である。図１を参照すると、携帯端末装置１は、フロート装置２と、通信装置３とを具備する。
【００１４】
フロート装置２は、携帯端末装置１を水中深くに沈ませることなく水面に浮かせ、且つ、水面に浮かんでいる間、携帯端末装置１の場所がユーザに分かるように報知し続ける。フロート装置２は筐体２ａを有する。筐体２ａは、通信装置３の筐体３ａと結合し、浮力で水面に浮かぶ。筐体２ａは、フロント面２ｂと対向する面で、通信装置３の筐体３ａと結合する。筐体２ａは、ポリプロピレンやポリエチレンなどの材料を使用して、携帯端末装置１を水面に浮かせる十分な浮力を生じさせるように形成される。即ち、筐体２ａの浮力によって、携帯端末装置１は水面に浮くことができる。フロート装置２は、フロント面２ｂに、ソーラーパネル１１とスピーカ部２３とが配置される。ソーラーパネル部１１及びスピーカ部２３などフロート装置２に備わる各部の詳細は後述する。
【００１５】
通信装置３は、端末装置としての各種機能を実行する。通信装置３は、各装置を収容する防水性の筐体３ａを有する。通信装置３は、フロート装置２の浮力が無い場合、水面に浮かずに沈む。
【００１６】
図２は、本発明の携帯端末装置１が水に落下してから浮上するまでの過程を示す図である。図２（ａ）は携帯端末装置１が水に落ちて沈む様子を示す図である。図２（ａ）を参照すると、水に落ちた携帯端末装置１は、重力によって水中深くに沈み込む。図２（ｂ）は、水中に沈んだ携帯端末装置１が浮力によって浮き上がる様子を示す図である。図２（ｂ）を参照すると、水中に沈んだ携帯端末装置１は、フロート装置２の浮力によって水面へ浮上する。図２（ｃ）は、水面に浮上した携帯端末装置１を示す図である。図２（ｃ）を参照すると、携帯端末装置１は、フロート装置２の浮力によって水面まで浮かび上がる。水面に浮上した携帯端末装置１は、フロート装置２の浮力によって、上側がフロート装置２となり下側が通信装置３となる。フロート装置２と通信装置３とは、水面に浮くときの重量バランスを考慮して結合される。詳細には、図２（ｃ）に示したように、携帯端末装置１を水に浮かせたとき、フロント面２ｂが上を向くように、フロート装置２と通信装置３とは重量バランスを考慮して結合される。本発明の携帯端末装置１は、水に落ちた後、水中深くに没してしまうことなく浮上し、更に、水面に浮かんでいる間、ユーザに場所を知らせるために報知し続けることができる。
【００１７】
本発明の携帯端末装置１の報知に係わる構成を説明する。図３は、本発明の第１の実施の形態による携帯端末装置１のブロック図である。図３を参照すると、フロート装置２は、電力供給部１０と、報知部２０とを備える。電力供給部１０は、報知部２０が駆動するための電力を供給する。報知部２０は、電力供給部１０から供給される電力で駆動し、水に浸かっていることを報知する。
【００１８】
電力供給部１０は、ソーラーパネル部１１と、蓄電部１２とを含む。ソーラーパネル部１１は、光エネルギーを直接電力に変換し、蓄電部１２へ提供する。ソーラーパネル部１１は、筐体２ａのフロント面２ｂに配置される（図１参照）。ソーラーパネル部１１が、フロント面２ｂに配置されることで、携帯端末装置１が水面に浮かんだとき、水面よりも上に位置することが出来る。図２（ｃ）を参照すると、ソーラーパネル部１１はフロント面２ｂに含まれるため、携帯端末装置１が水面に浮かんだときでも水面より上に位置し、効率良く照射される光を受けることができる。即ち、ソーラーパネル部１１は、携帯端末装置１が水面に浮かんでいるときでも、常に周囲の明かりによって電力を蓄電部１２へ提供することができる。
【００１９】
蓄電部１２は、ソーラーパネル部１１から受け取る電力を充電し、報知部２０へ電力を供給する。電力供給部１０は、ソーラーパネル部１１が光エネルギーを受けている限り、蓄電部１２に随時蓄電できるため、ソーラーパネル部１１及び蓄電部１２が故障するまで永久に報知部２０へ電力を供給することができる。
【００２０】
報知部２０は、水位センサ部２１と、アラーム制御部２２と、スピーカ部２３と、発光部２４とを含む。水位センサ部２１は、水に浸かっていることを検知して、検出信号を出力する。詳細には、水位センサ部２１は、水を検知したときにＨｉの検出信号をアラーム制御部２２に出力し、水を検知していないときはＬｏの検出信号をアラーム制御部２２に出力する。
【００２１】
アラーム制御部２２は、水位センサ部２１から受け取る検出信号を受信して、スピーカ部２３と発光部２４とを制御するための制御信号を出力する。言い換えると、アラーム制御部２２は、スピーカ部２３と発光部２４のＯＮ／ＯＦＦを制御する。詳細には、アラーム制御部２２は、水位センサ部２１からＨｉの検出信号を受信すると、スピーカ部２３と発光部２４とをＯＮにする制御信号を出力する。一方、アラーム制御部２２は、水位センサ部２１からＬｏの検出信号を受信すると、スピーカ部２３と発光部２４とをＯＦＦにする制御信号を出力する。
【００２２】
スピーカ部２３及び発光部２４は、アラーム制御部２２から制御信号を受信して、報知信号を出力する。スピーカ部２３は、ＯＮにするための制御信号を受信すると、音を出力してユーザに携帯端末装置１の場所を報知する。図１を参照すると、スピーカ部２３は、音がユーザに聞こえ易いように、水面に浮かんだとき上側になるフロント面２ｂに位置している。一方、発光部２４は、ＯＮにするための制御信号を受信すると、光を出力してユーザに携帯端末装置１の場所を報知する。図１を参照すると、発光部２４は携帯端末装置１の内部に位置している。スピーカ部２３及び発光部２４は、ＯＦＦにするための制御信号を受信すると、報知信号を出力しない。つまり、スピーカ部２３及び発光部２４は、水に浸かっていない場合は報知を行わない。
【００２３】
通信装置３は、電池部３０と、通信機能部４０とを備える。電池部３０は、通信機能部４０へ電力を供給する。通信機能部４０は、電池部３０の電力に基づいて駆動し、音声の通話機能やデータ信号の送受信機能など各種機能を実行する。
【００２４】
ここで、フロート装置２の内部における各機能部の配置を説明する。図４は、図１に示した携帯端末装置１のＡ−Ａ断面の模式図である。尚、図４では通信装置３の内部は省略されている。図４を参照すると、フロート装置２において、ソーラーパネル部１１とスピーカ部２３が水面に浮かんだとき上側になる携帯端末装置１のフロント面２ｂに位置している。水位センサ部２１は、携帯端末装置１が水に浮かんだときの水面よりも下になる位置で、外部に露出するように配置される。発光部２４は、筐体２ａの内部に設けられ、発光部２４が出力した光は広範囲に拡散するように筐体２ａから出力される。図５は、発光部２４の周辺を示す拡大図である。図５を参照すると、筐体２ａは、発光部２４の近傍において、発光部２４の光を受ける凹レンズ部２ｃを含む。発光部２４から出力された光２４ａは、凹レンズ部２ｃを介して外部へ出力される。即ち、光２４ａは、凹レンズ部２ｃで拡散されて拡散光２４ｂとなり、発光部２４が単独で照射できる範囲より広範囲に出力される。このとき、凹レンズ部２ｃの周辺の筐体２ａも間接的に発光することになる。
【００２５】
本発明の実施の形態による携帯端末装置１の報知部２０及び通信機能部４０は、コンピュータを用いて実現可能である。図６は、携帯端末装置１の報知部２０及び通信機能部４０の実施の形態における、ハードウエア構成例を示すブロック図である。図６を参照すると、本発明の報知部２０及び通信機能部４０は、ＣＰＵ（Ｃｅｎｔｒａｌ  Ｐｒｏｃｅｓｓｉｎｇ  Ｕｎｉｔ）１００と、記憶装置１０１と、入力装置１０２と、出力装置１０３と、センサ１０４と、各装置を接続するバス１０５とを備えるコンピュータシステムで構成される。
【００２６】
ＣＰＵ１００は、記憶装置１０１に格納されている本発明の携帯端末装置１に係る演算処理及び制御処理を行う。記憶装置１０１は、ハードディスクやメモリなど、情報の記録を行う装置である。記憶装置１０１は、ＣＤ−ＲＯＭやＤＶＤ等のコンピュータ読み取り可能な記憶媒体から読み取られたプログラム、入力装置１０２やセンサ１０４から入力された信号やプログラム、及びＣＰＵ１００の処理結果を格納する。入力装置１０２は、ボタン、キーボード、マイクロフォンなど、ユーザがコマンド及び信号を入力することが出来る装置である。出力装置１０３は、ディスプレイ、スピーカ、ＬＥＤ（Ｌｉｇｈｔ  Ｅｍｉｔｔｉｎｇ  Ｄｉｏｄｅ）など、ユーザに出力結果を認識させる装置である。センサ１０４は、水位や光を検出するセンサである。尚、本発明はハードウエア構成例と示したものに限定されず、各部はハードウエアとソフトウエアとを単独又は組み合わせて実現することが出来る。
【００２７】
図７は、本発明の第１の実施の形態による携帯端末装置１におけるフロート装置２の処理動作を示したフローチャートである。図７を参照して、本発明の第１の実施の形態による処理動作を説明する。
【００２８】
ステップＳ０１：
ソーラーパネル部１１は、光エネルギーを直接電力に変換し、蓄電部１２へ提供する。ソーラーパネル部１１は図２で示したように、携帯端末装置１が水面に浮かんだとき水面より上に位置するため、効率良く照射される光を受けることができる。
【００２９】
ステップＳ０２：
蓄電部１２は、ソーラーパネル部１１から受け取る電力を充電し、報知部２０へ電力を供給する。
【００３０】
ステップＳ０３：
報知部２０は、電力供給部１０から供給される電力で駆動する。
【００３１】
ステップＳ０４：
水位センサ部２１は、水に浸かっているか否かを検知して、検出信号を出力する。詳細には、水位センサ部２１は、水を検知したときにＨｉの検出信号をアラーム制御部２２に出力し、水を検知していないときはＬｏの検出信号をアラーム制御部２２に出力する。
【００３２】
ステップＳ０５：
アラーム制御部２２は、水位センサ部２１から受け取る検出信号がＨｉであるか否かを判定する。
【００３３】
ステップＳ０６：
ステップＳ０５において、アラーム制御部２２は、水位センサ部２１からＬｏの検出信号を受信すると、スピーカ部２３と発光部２４とをＯＦＦにする制御信号を出力する。スピーカ部２３及び発光部２４は、ＯＦＦにするための制御信号を受信すると、報知信号となる音と光を出力しない。つまり、スピーカ部２３及び発光部２４は、水に浸かっていない場合は報知を行わない。
【００３４】
ステップＳ０７：
ステップＳ０５において、アラーム制御部２２は、水位センサ部２１からＨｉの検出信号を受信すると、スピーカ部２３と発光部２４とをＯＮにする制御信号を出力する。スピーカ部２３及び発光部２４は、アラーム制御部２２から制御信号を受信して、報知信号を出力する。スピーカ部２３は音を出力し、発光部２４は光を出力し、ユーザに携帯端末装置１の場所を報知する。本発明のフロート装置２は、電力供給部１０が電力を供給できる間において、この処理を繰り返し実行することができる。
【００３５】
本発明の第１の実施の形態による携帯端末装置１は、水の中へ落ちてもフロート装置２の浮力によって水中深くに沈むことなく、水面に浮かび上がることができる。しかも、本発明の携帯端末装置１は、光を受けることが出来る環境下においては、ソーラーパネル部１１が自己発電し続けるため、電池が切れることがない。従って、本発明の携帯端末装置１は、水面に長時間浮かんでいても、光を受けることが出来る環境下においては、音と光とで報知し続けることができ、ユーザに発見されやすい効果を奏している。
【００３６】
（第２の実施の形態）
本発明の第２の実施の形態を説明する。図８は、本発明の第２の実施の形態による携帯端末装置１の模式図である。図８を参照すると、携帯端末装置１は、フロート装置２と、通信装置３とを具備する。本発明の第２の実施の形態は、報知部２０の構成が第１の実施の形態と一部異なるものである。第１の実施の形態と同じ構成には同じ符号を用いて説明する。
【００３７】
報知部２０は、第１の実施の形態と同様に、電力供給部１０から供給される電力で駆動し、水に浸かっていることを報知する。報知部２０は、水位センサ部２１と、アラーム制御部２２と、スピーカ部２３と、発光部２４と、光センサ部２８とを含む。
【００３８】
光センサ部２８は、周囲の明るさを検知し、周囲の明るさを示す検出信号を出力する。詳細には、光センサ部２８は、周囲の明るさと予め設定された所定の明るさとを比較する。光センサ部２８は、周囲の明るさが予め設定された所定の明るさよりも暗い場合、周囲が暗いことを示すＨｉの検出信号をアラーム制御部２２に出力する。一方、光センサ部２８は、周囲の明るさが予め設定された所定の明るさよりも明るい場合、周囲が明るいことを示すＬｏの検出信号をアラーム制御部２２に出力する。
【００３９】
アラーム制御部２２は、アラーム制御部２２は、水位センサ部２１の検出信号と、光センサ部２８の検出信号とを受信して、スピーカ部２３と発光部２４とを制御するための制御信号を出力する。詳細には、アラーム制御部２２は、水位センサ部２１から水に浸かっていることを示すＨｉの検出信号を受信し、且つ、光センサ部２８から周囲が暗いことを示すＨｉの検出信号を受信すると、スピーカ部２３と発光部２４とをＯＮにする制御信号を出力する。また、アラーム制御部２２は、水位センサ部２１から水に浸かっていることを示すＨｉの検出信号を受信し、且つ、光センサ部２８から周囲が明るいことを示すＬｏの検出信号を受信すると、スピーカ部２３をＯＮにする制御信号と、発光部２４をＯＦＦにする制御信号とを出力する。更に、アラーム制御部２２は、水位センサ部２１からＬｏの検出信号を受信すると、スピーカ部２３と発光部２４とをＯＦＦにする制御信号を出力する。つまり、アラーム制御部２２は、水面に浮いているときに、周囲が暗ければ音と光との２つの手段で報知するように制御し、周囲が明るければ音だけで報知するように制御する。
【００４０】
図９は、本発明の第２の実施の形態による携帯端末装置１におけるフロート装置２の処理動作を示したフローチャートである。図９を参照して、本発明の第２の実施の形態による処理動作を説明する。但し、ステップＳ１１からステップＳ１３は、第１の実施の形態のステップＳ０１からステップＳ０３に相当するため説明を省略する。
【００４１】
ステップＳ１４：
水位センサ部２１は、水に浸かっているか否かを検知して、検出信号を出力する。詳細には、水位センサ部２１は、水を検知したときにＨｉの検出信号をアラーム制御部２２に出力し、水を検知していないときはＬｏの検出信号をアラーム制御部２２に出力する。また、光センサ部２８は、周囲の明るさを検知し、周囲の明るさを示す検出信号を出力する。詳細には、光センサ部２８は、周囲の明るさと予め設定された所定の明るさとを比較する。光センサ部２８は、周囲の明るさが予め設定された所定の明るさよりも暗い場合、周囲が暗いことを示すＨｉの検出信号をアラーム制御部２２に出力する。一方、光センサ部２８は、周囲の明るさが予め設定された所定の明るさよりも明るい場合、周囲が明るいことを示すＬｏの検出信号をアラーム制御部２２に出力する。
【００４２】
ステップＳ１５：
アラーム制御部２２は、水位センサ部２１から受け取る検出信号がＨｉであるか否かを判定する。
【００４３】
ステップＳ１６：
ステップＳ１５において、アラーム制御部２２は、水位センサ部２１からＬｏの検出信号を受信すると、スピーカ部２３と発光部２４とをＯＦＦにする制御信号を出力する。スピーカ部２３及び発光部２４は、ＯＦＦにするための制御信号を受信すると、報知信号を出力しない。
【００４４】
ステップＳ１７：
ステップＳ１５において、アラーム制御部２２は、水位センサ部２１からＨｉの検出信号を受信すると、光センサ部２８から周囲が暗いことを示すＨｉの検出信号を受信しているか否かを判定する。
【００４５】
ステップＳ１８：
ステップＳ１７において、アラーム制御部２２は、水位センサ部２１から水に浸かっていることを示すＨｉの検出信号を受信し、且つ、光センサ部２８から周囲が明るいことを示すＬｏの検出信号を受信すると、スピーカ部２３をＯＮにする制御信号と、発光部２４をＯＦＦにする制御信号とを出力する。スピーカ部２３は報知信号として音を出力する。つまり、フロート装置２は、水面に浮いている状態において、周囲が明るいため音のみで報知する。
【００４６】
ステップＳ１９：
ステップＳ１７において、アラーム制御部２２は、水位センサ部２１からＨｉの検出信号を受信し、且つ、光センサ部２８から周囲が暗いことを示すＨｉの検出信号を受信すると、スピーカ部２３と発光部２４とをＯＮにする制御信号を出力する。スピーカ部２３は音を出力し、発光部２４は光を出力して、ユーザに携帯端末装置１の場所を報知する。つまり、フロート装置２は、水面に浮いている状態において、周囲が暗いため光と音で報知する。本発明の第２の実施の形態のフロート装置２は、第１の実施の形態と同様に、電力供給部１０が電力を供給できる間において、この処理を繰り返し実行することができる。
【００４７】
本発明の第２の実施の形態による携帯端末装置１は、第１の実施の形態と同様に、水の中へ落ちてもフロート装置２の浮力によって水中深くに沈むことなく、水面に浮くことができる。更に、本発明の第２の実施の形態の携帯端末装置１は、光センサ部２８を備えることで、周囲の明るさが暗い場合のみ発光部２４から光を出力させ、蓄電部１２の電力消費を抑制できる効果を奏する。つまり、本発明の第２の実施の形態の携帯端末装置１は、ソーラーパネル部１１が光を受けられない場合でも、蓄電部１２の消費電力を抑えながら長時間報知することが可能となる。
【符号の説明】
【００４８】
１      携帯端末装置
２      フロート装置
２ａ    筐体
２ｂ    フロント面
２ｃ    凹レンズ部
３      通信装置
３ａ    筐体
１０    電力供給部
１１    ソーラーパネル部
１２    蓄電部
２０    報知部
２１    水位センサ部
２２    アラーム制御部
２３    スピーカ部
２４    発光部
２４ａ  光
２４ｂ  拡散光
２８    光センサ部
３０    電池部
４０    通信機能部
１００  ＣＰＵ
１０１  記憶装置
１０２  入力装置
１０３  出力装置
１０４  センサ
１０５  バス
【図１】
2011205196.tif 000003
【図２】
2011205196.tif 000004
【図３】
2011205196.tif 000005
【図４】
2011205196.tif 000006
【図５】
2011205196.tif 000007
【図６】
2011205196.tif 000008
【図７】
2011205196.tif 000009
【図８】
2011205196.tif 000010
【図９】
2011205196.tif 000011